(57)【要約】      （修正有）【課題】１個の咬合器で前歯部と臼歯部の排列を行なうことができると共に、良好な咬合を行なうことができる咬合平・球面板を提供する。【解決手段】上部フレーム５の中間に上顎模型９を取付ける上顎支持部１０を設けた咬合器において、上顎支持部１０の下方に、上顎模型９に人工歯２０を排列する咬合板を設け、この咬合板上面の先端側に平面部２５を形成すると共に、中央側に凹形の球面部２６を形成し、この球面部２６に平面板を着脱自在に取付ける。【選択図】図１
0003181283.tif 000002
【実用新案登録請求の範囲】
【請求項１】
下部フレームの基端側の両端に支柱部を立設し、この左右支柱部の上部の間に軸を設け、この軸に上部フレームを上下方向に回動自在に取付け、前記下部フレームの中間に下顎模型を取付ける下顎支持部を設けると共に、これと対向して前記上部フレームの中間に上顎模型を取付ける上顎支持部を設け、上部フレームの先端に下方に向かってインサイザルピンを設けて、その下端部を前記下部フレームの先端側に、接離自在に支持させた咬合器において、前記上顎支持部の下方に、上顎模型の上顎咬合床に人工歯を排列する咬合板を設け、この咬合板上面の先端側に平面部を形成すると共に、中央側に凹形の球面部を形成し、この球面部に、平面板を着脱自在に取付けたことを特徴とする咬合器の咬合平・球面板。
【請求項２】
咬合板が、下部フレームに設けた下顎支持部に着脱自在に取付けた取付け円板の中央に立設したスタンドの上部に取付けられていることを特徴とする請求項１記載の咬合器の咬合平・球面板。
【請求項３】
請求項１記載の咬合器の咬合平・球面板において、更に下部フレームの先端側に立設したスタンドの上端に、中央部が開口した支持フレームを設け、上面の先端側に平面部を形成し、中央側に凹形の球面部を設けた平・球面透明板で形成すると共に、この平・球面透明板の球面部の上に、平面透明板を着脱自在に設けて、前記支持フレームの上に取付けたことを特徴とする咬合器の咬合平・球面板。
【請求項４】
支持フレームを平面Ｕ字形状に形成したことを特徴とする請求項３記載の咬合器の咬合平・球面板。                      
【考案の詳細な説明】
【技術分野】
【０００１】
本考案は、咬合器の咬合平面板の改良に関するものである。
【背景技術】
【０００２】
一般に義歯を製作する場合、患者から上下顎の印象を採得してから石膏を注入し、上下顎模型と上下顎支持部を作製し、上下の咬合状態を再現するために、上顎模型と下顎模型を咬合器で組み合わせて製作している。従来の咬合器１は図１０に示すように、下部フレーム２の基端側の両端に支柱部３を立設し、この左右支柱部３、３の上部の間に軸４を設け、この軸４に上部フレーム５を上下方向に回動自在に取付け、前記下部フレーム２の中間に図示しない下顎模型を取付ける下顎支持部８を設けると共に、これと対向して前記上部フレーム５の中間に上顎模型９を取付ける上顎支持部１０を設け、上部フレーム５の先端に下方に向かってインサイザルピン１２を設けて、その下端部を前記下部フレーム３の先端側に着脱自在に取付けた、上面がＶ形の連結ブロック１３の上面に接離自在に支持させ、上部フレーム５を水平に支持するようになっている。
【０００３】
上顎模型９を製作する場合、下顎支持部８の咬合平面板１５を取付ける。この咬合平面板１５は、図１１および図１２に示すように、取付け円板１６の上に伸縮自在にスタンド１７を立設し、この上に平面板１８を取付けた構造をなしている。この平面板１８の上に、上顎模型９を設置し、石膏１９で上顎支持部１０に固定する。この後、図１０に示すように上顎模型９の上顎咬合床９Ａに人工歯２０を排列して行く（特許文献１）。
【０００４】
従来の咬合器１は、上顎模型９を載置する部分が平面板１８で形成されているので、臼歯部２０Ｂは球面板を用いてフリーハンドで取付けている。しかしながら上顎模型９は下顎模型の下顎咬合床を横に置いて見ながら人工歯２０を取付けているので正確に咬合できない問題がある。
【０００５】
また従来は、下顎模型の下顎咬合床を上から見ながら上顎模型９に人工歯２０を排列することができなかったので、下顎模型７と上顎模型９の理想的な咬合状態を得るのが難しかった。
【先行技術文献】
【特許文献】
【０００６】
【特許文献１】特開２００４−１１３３９８号公報
【考案の概要】
【考案が解決しようとする課題】
【０００７】
本考案は上記問題を改善し、１個の咬合器で前歯部と臼歯部の排列を行なうことができる共に、良好な咬合を行なうことができる咬合器の咬合平・球面板を提供するものである。更に本考案は透明板で形成して、下顎模型を下顎支持部に固定してその下顎咬合床を、透明板を通して上から見ながら上顎模型に人工歯を取付けられるので、更に良好な咬合を短時間で作製でき作業性を高めた咬合器の咬合平・球面板を提供するものである。
【課題を解決するための手段】
【０００８】
本考案の請求項１記載の咬合器の咬合平・球面板は、下部フレームの基端側の両端に支柱部を立設し、この左右支柱部の上部の間に軸を設け、この軸に上部フレームを上下方向に回動自在に取付け、前記下部フレームの中間に下顎模型を取付ける下顎支持部を設けると共に、これと対向して前記上部フレームの中間に上顎模型を取付ける上顎支持部を設け、上部フレームの先端に下方に向かってインサイザルピンを設けて、その下端部を前記下部フレームの先端側に、接離自在に支持させた咬合器において、前記上顎支持部の下方に、上顎模型の上顎咬合床に人工歯を排列する咬合板を設け、この咬合板上面の先端側に平面部を形成すると共に、中央側に凹形の球面部を形成し、この球面部に、平面板を着脱自在に取付けたことを特徴とするものである。
【０００９】
本考案の請求項２記載の咬合器の咬合平・球面板は、請求項１において、咬合板が、下部フレームに設けた下顎支持部に着脱自在に取付けた取付け円板の中央に立設したスタンドの上部に取付けられていることを特徴とするものである。
【００１０】
本考案の請求項３記載の咬合器の咬合平・球面板は、請求項１において、更に下部フレームの先端側に立設したスタンドの上端に、中央部が開口した支持フレームを設け、上面の先端側に平面部を形成し、中央側に凹形の球面部を設けた平・球面透明板で形成すると共に、この平・球面透明板の球面部の上に、平面透明板を着脱自在に設けて、前記支持フレームの上に取付けたことを特徴とするものである。
【００１１】
本考案の請求項４記載の咬合器の咬合平・球面板は、請求項３において、支持フレームを平面Ｕ字形状に形成したことを特徴とするものである。
【考案の効果】
【００１２】
本考案に係る請求項１記載の咬合器の咬合平・球面板によれば、上顎支持部の下方に、上顎模型の上顎咬合床に人工歯を排列する咬合板を設け、この咬合板上面の先端側に平面部を形成すると共に、中央側に凹形の球面部を形成し、この球面部に、平面板を着脱自在に取付けたので、平面板を取付けた状態では従来の咬合平面板と同様に使用でき、平面板を取外すだけで臼歯部を取付ける球面部が形成されるので、作業性に優れていると共に、上顎模型に人工歯を良好に排列することができる。
【００１３】
また請求項２記載の咬合器の咬合平・球面板によれば、咬合板が取付け円板の中央に立設したスタンドの上部に取付けられているので、下部フレームに設けた下顎支持部への取付けが容易である。
【００１４】
また請求項３記載の咬合器の咬合平・球面板によれば、下部フレームの先端側に立設したスタンドの上端に、中央部が開口した支持フレームを設け、この支持フレームの上に、上面の先端側に平面部を形成し、中央側に凹形の球面部を設けた平・球面透明板で形成すると共に、この平・球面透明板の球面部の上に、平面透明板を着脱自在に設けたので、下顎支持部に取付けた下顎模型の下顎咬合床の形状を平・球面透明板と平面透明板を通して見ながら、上顎模型に人工歯を排列するので、理想的な上顎模型を作製することができる。
【００１５】
また請求項４記載の咬合器の咬合平・球面板によれば、支持フレームは平面Ｕ字形状に形成されて、ここに平・球面透明板を取付けたので、下顎模型の下顎咬合床の全体形状を良く見ることができる。
【考案を実施するための最良の形態】
【００１６】
以下本考案の実施の一形態を図１ないし図５を参照して詳細に説明する。咬合器１は、下部フレーム２の基端側の両端をＵ字形に折曲して支柱部３、３とし、この左右支柱部３、３の上部の間に軸４を設け、この軸４に上部フレーム５を上下方向に回動自在に取付けられている。前記下部フレーム２の中間は円形に形成され、ここに図示しない下顎模型を取付ける下顎支持部８が設けられている。
【００１７】
またこの下顎支持部８と対向してこの上方に、前記上部フレーム５の中間に上顎模型９を取付ける上顎支持部１０を設け、更に上部フレーム５の先端に下方に向かってインサイザルピン１２を上下動自在に設けて、その下端部を前記下部フレーム３の先端側に着脱自在に取付けた、連結ブロック１３の上面に接離自在に支持させ、上部フレーム５を水平に支持するようになっている。
【００１８】
上顎模型９を支持する咬合平・球面板２２は、図２〜図４に示すように、取付け円板１６の上にスタンド１７を伸縮自在に立設し、この上に咬合板２４が取付けられている。この咬合板２４は、先端側に平面部２５を形成すると共に、中央側に凹形の球面部２６を形成し、球面部２６は例えば直径１０インチの球面形状に形成されている。この球面部２４に、平面板２５を着脱自在に取付けたものである。
【００１９】
上記構成の咬合器の咬合平・球面板２２で義歯を作成する場合について説明する。先ず下顎支持部８の上に、図２および図３に示すように球面部２６の上に平面板２７を重ねて位置決めストッパ２８で位置決めする。次に図１に示すように下部フレーム２の下顎支持部８に咬合平・球面板２２を取付けて、その高さを調整する。次に図１に示すように、平面板２７の上に上顎模型９を載置して石膏１９で上部フレーム５の上顎支持部１０に固定する。この後、平面板２７の高さを調整して、人工歯２０の前歯部２０Ａを上顎咬合床９Ａに取付けていく。次に平面板２７を下げて図４に示すように取外す。この後、再び咬合板２４の高さを調整してから、球面部２６の周辺で臼歯部２０Ｂを取付ける。
【００２０】
従って、平面板２７を取付けた状態では従来の咬合平面板１５と同様に使用でき、平面板２７を取外すだけで臼歯部２０Ｂを取付ける球面部２６が形成されるので、作業性に優れていると共に、良好な排列を行なうことができる。この後、下顎模型７の下顎咬合床７Ａに人工歯２０を取付ける。次に咬合平・球面板２２を下顎支持部８から取外して、ここに下顎模型７を取付け、上部フレーム５を上下に回動させて、上顎模型９に取付けた人工歯２０と下顎模型７に取付けた人工歯２０との咬合状態を見ながら調整する。
【００２１】
図６ないし図９は本考案の他の実施の形態を示すもので、下部フレーム２の先端側に連結ブロック１３を取付け、ここにスタンド３０を立設し、この上に図７に示すように中央部が開口した平面Ｕ字形状に形成した支持フレーム３１が取付けられている。また咬合平・球面板は、上面の先端側に平面部２５を形成し、中央側に凹形の球面部２６を設けた平・球面透明板３２を支持フレーム３１の上に重ねて止め具３３で固定されている。更に球面部２６の上には図８に示すように平面透明板３４が着脱自在に取付けられている。
【００２２】
図８に示す咬合平・球面板２２は下顎模型７を下顎支持部８に取付ける。次に図９に示すように平・球面透明板３２の上に、平面透明板３４を重ねて上顎模型９を載置し、前歯部２０Ａを平・球面透明板３２と平面透明板３４を通して下顎模型７の下顎咬合床７Ａの形状を見ながら取付けていく。この後、平面透明板３４を取外してから、平・球面透明板３２を通して下顎模型７の下顎咬合床７Ａの形状を見ながら、これに合わせて臼歯部２０Ｂを排列する。臼歯部２０Ｂは前後・ 側方湾曲を付与することが良く、球面部２６の上で、下顎模型７の下顎咬合床７Ａの形状を見ながら排列するので、理想的な上顎模型９を作製することができる。更に図７に示すように支持フレーム３１は平面Ｕ字形状に形成されて、ここに平・球面透明板３２と平面透明板３４を取付けたので、下顎模型７の下顎咬合床７Ａの全体形状を良く見ることができる。
【００２３】
人工歯２０の排列位置を決める上ではいわゆる歯槽頂というのが一つの目安になるが、単純に歯槽頂だけに重きを置くと、傾斜等があれば力を受けることができず義歯が動いてしまうという問題が生じる。下顎模型７の排列可能域をみて上顎模型９に人工歯２０を排列するのが合理的である。図１に示す咬合平・球面板２２は、下顎支持部８に固定する構造となっているため、下顎支持部８から一旦取り外し、下顎模型７を咬合器１に再装着しなければならないが、本考案では、平・球面透明板３２と平面透明板３４を通して下顎模型７の下顎咬合床７Ａの形状を上から見ながら上顎模型９の臼歯部２０Ｂを排列できるので下顎模型７と上顎模型９の理想的な咬合状態を得ることができる。
【図面の簡単な説明】
【００２４】
【図１】本考案の実施の一形態による咬合平・球面板を取付けた咬合器の斜視図である。
【図２】図１の咬合平・球面板を示す斜視図である。
【図３】図２の咬合平・球面板を示す断面図である。
【図４】図２の平面板を取り外した咬合平・球面板を示す斜視図である。
【図５】図４の平面板を取り外した咬合平・球面板の上に載置した上顎模型に、人工歯を配列している状態を示す側面図である。
【図６】本考案の他の実施の形態による平・球面透明板の下方に下顎模型を取付けて、平・球面透明板の球面部で臼歯部を排列している状態を示す咬合器の斜視図である。
【図７】支持フレームの上に平・球面透明板を取付けた状態を示す平面図である。
【図８】平・球面透明板の球面部に平面透明板を取付けた支持フレームの断面図である。
【図９】図６の平・球面透明板の下方に下顎模型を取付けて、平・球面透明板の球面部で臼歯部を排列している状態を示す咬合器の側面図である。
【図１０】従来の咬合平面板の上で上顎模型に人工歯を排列している状態を示す咬合器の斜視図である。
【図１１】図１０に示す咬合平面板の斜視図である。
【図１２】図１１に示す咬合平面板の断面図である。
【符号の説明】
【００２５】
１    咬合器                                                
２    下部フレーム                                          
３    支柱部                                                
４    軸      
５    上部フレーム    
７    下顎模型    
７Ａ  下顎咬合床    
８    下顎支持部    
９    上顎模型      
９Ａ  上顎咬合床    
１０  上顎支持部  
１２  インサイザルピン
１３  連結ブロック  
１５  咬合平面板    
１６  取付け円板    
１７  スタンド    
１８  平面板        
１９  石膏    
２０  人工歯        
２０Ａ  前歯部  
２０Ｂ  臼歯部  
２２  咬合平・球面板    
２４  咬合板      
２５  平面部    
２６  球面部    
２７  平面板      
２８  位置決めストッパ
３０  スタンド
３１  支持フレーム
３２  平・球面透明板  
３３  止め具    
３４  平面透明板
【図１】
0003181283.tif 000003
【図２】
0003181283.tif 000004
【図３】
0003181283.tif 000005
【図４】
0003181283.tif 000006
【図５】
0003181283.tif 000007
【図６】
0003181283.tif 000008
【図７】
0003181283.tif 000009
【図８】
0003181283.tif 000010
【図９】
0003181283.tif 000011
【図１０】
0003181283.tif 000012
【図１１】
0003181283.tif 000013
【図１２】
0003181283.tif 000014